(57)【特許請求の範囲】
【請求項１】
電力量計の筐体下部に配設され、かつ、複数個の小径開口孔が所定の配列ピッチで形成された端子ブロックに装着可能な端子アダプタであって、
前記端子ブロックの小径開口孔と同数の端子金具を小径開口孔の配列方向に沿ってアダプタ本体に埋設し、前記端子金具は、前記小径開口孔よりも小さな外径を有し、前記小径開口孔と同一の配列ピッチで前記アダプタ本体から端子ブロックに向けて導出された凸状部と、前記端子ブロックの小径開口孔よりも大きな内径を有する大径開口孔を備えた凹状部とで構成され、前記端子金具の凹状部は、前記凸状部から端子ブロックと反対側に一体的に延設されて前記小径開口孔と異なる配列ピッチで配置されていることを特徴とする電力量計用端子アダプタ。
【請求項２】
前記端子ブロックの小径開口孔よりも大きく、かつ、前記端子金具の凹状部の大径開口孔よりも小さな外径を有する凸状部と、その凸状部から一体的に延設されて二つの開口孔が形成された凹状部とからなる分岐端子に対して、複数の分岐端子の凹状部を並置可能な配列ピッチで前記端子金具の凹状部が配置されている請求項１に記載の電力量計用端子アダプタ。
【請求項３】
前記端子金具は、凸状部の根元部位に設けられた識別用の突起を有する請求項１又は２に記載の電力量計用端子アダプタ。
【請求項４】
前記端子金具の凹状部に、大径開口部に挿入される電線を締め付ける端子ねじが螺着され、前記アダプタ本体に前記端子ねじが露呈する窓部を形成すると共に、前記端子ねじを最大限緩めた取付状態でのねじ頭部よりも高い隔壁部を前記窓部の端子金具隣接部位に設けた請求項１〜３のいずれか一項に記載の電力量計用端子アダプタ。
【請求項５】
前記アダプタ本体の底部に形成されて前記端子金具の凹状部の大径開口孔が露呈する凹陥面に、前記大径開口孔を囲撓する周壁部を突設した請求項１〜４のいずれか一項に記載の電力量計用端子アダプタ。
【発明の詳細な説明】
【技術分野】
【０００１】
本発明は、例えば一般家庭などの電力需要家が使用する電力量を計測して表示する電力量計について、その端子ブロックに装着される電力量計用端子アダプタに関する。
【背景技術】
【０００２】
一般家庭などの電力需要家が使用する電力量を計測して表示する電力量計、例えば単相３線式電力量計の定格電流は３０Ａと１２０Ａの２種類があり、電力需要家における月間使用量や契約容量に応じて定格電流を決定し、３０Ａ用電力量計あるいは１２０Ａ用電力量計のいずれかを電力需要家に設置するようにしている。
【０００３】
近年、一般家庭などの電力需要家における電力の需要が増加傾向となり、３０Ａ用電力量計では電流容量が不足することから、１２０Ａ用電力量計を電力需要家に設置することが増加する傾向にある。しかしながら、１２０Ａ用電力量計はコスト面で比較的高価なものであることから、電力需要家における使用電力量に適した定格電流の電力量計として６０Ａ用電力量計を導入することにより、電力量計のコスト低減を図るようにしている（例えば、特許文献１参照）。
【先行技術文献】
【特許文献】
【０００４】
【特許文献１】特開２０１３−４４５５６号公報
【発明の概要】
【発明が解決しようとする課題】
【０００５】
ところで、電力量計の一種として知られている電子式電力量計は、使用電力量を測定する計測回路などを収容した筐体の下部に端子ブロックが組み付けられた構造を具備する。この端子ブロックは、送電系統からの引込み線が接続される一次側接続端子と、電力需要家（家電機器などの負荷）への配線が接続される二次側接続端子とを備えている。
【０００６】
一次側接続端子および二次側接続端子は、端子ブロックの底面に幅方向に沿って形成された開口孔に引込み線および配線を挿入してねじ止めすることにより電気的に接続すると共に機械的に固定する構造となっている。一次側接続端子および二次側接続端子の開口孔は、引込み線および配線の外径に適合する内径を有し、端子ブロックの幅方向に所定の配列ピッチで設けられている。
【０００７】
ここで、前述した１２０Ａ用電力量計における端子ブロックの一次側接続端子および二次側接続端子に取り付け可能な引込み線および配線は、断面積が１４ｍｍ2〜６０ｍｍ2の外径を有する。これに対して、６０Ａ用電力量計における端子ブロックの一次側接続端子および二次側接続端子に取り付け可能な引込み線および配線は、断面積が１．６ｍｍ2〜２２ｍｍ2の外径を有する。
【０００８】
このことから、１２０Ａ用電力量計を設置していた電力需要家において、使用電力量に適した定格電流の電力量計として６０Ａ用電力量計に変更しようとしても、引込み線および配線が断面積２２ｍｍ2の外径よりも大きい場合や、引込み線および配線が断面積１４ｍｍ2〜２２ｍｍ2の外径であってもその先端部にクセが残っている場合には、６０Ａ用電力量計の端子ブロックの開口孔に挿入することが困難となる。そのため、６０Ａ用電力量計への変更ができず、やむなく１２０Ａ用電力量計を設置している電力需要家が多数あり、電力量計のコスト低減を図ることが困難となっているのが現状である。
【０００９】
そこで、本発明は前述の問題点に鑑みて提案されたもので、その目的とするところは、６０Ａ用電力量計に対して、１２０Ａ用電力量計で使用する引込み線および配線を接続可能にし得る電力量計用端子アダプタを提供することにある。
【課題を解決するための手段】
【００１０】
前述の目的を達成するための技術的手段として、本発明は、電力量計の筐体下部に配設され、かつ、複数個の小径開口孔が所定の配列ピッチで形成された端子ブロックに装着可能な端子アダプタであって、端子ブロックの小径開口孔と同数の端子金具を小径開口孔の配列方向に沿ってアダプタ本体に埋設し、端子金具は、小径開口孔よりも小さな外径を有し、小径開口孔と同一の配列ピッチでアダプタ本体から端子ブロックに向けて導出された凸状部と、端子ブロックの小径開口孔よりも大きな内径を有する大径開口孔を備えた凹状部とで構成され、端子金具の凹状部は、凸状部から端子ブロックと反対側に一体的に延設されて小径開口孔と異なる配列ピッチで配置されていることを特徴とする。
【００１１】
本発明では、６０Ａ用電力量計の端子ブロックの小径開口孔と同数の端子金具を小径開口孔の配列方向に沿ってアダプタ本体に埋設したことにより、６０Ａ用電力量計に対して、１２０Ａ用電力量計で使用する大径の引込み線および配線を端子金具を介して接続することが可能となる。つまり、端子金具は、小径開口孔よりも小さな外径を有し、小径開口孔と同一の配列ピッチでアダプタ本体から端子ブロックに向けて導出された凸状部を備えていることから、端子金具の凸状部を端子ブロックの小径開口孔に挿入することが容易となる。一方、端子金具は、端子ブロックの小径開口孔よりも大きな内径を有する大径開口孔を備え、凸状部から端子ブロックと反対側に一体的に延設されて小径開口孔と異なる配列ピッチで配置された凹状部を持つことから、端子金具の凹状部の大径開口孔に１２０Ａ用電力量計で使用する大径の引込み線および配線を挿入することが容易となる。
【００１２】
本発明では、端子ブロックの小径開口孔よりも大きく、かつ、端子金具の凹状部の大径開口孔よりも小さな外径を有する凸状部と、その凸状部から一体的に延設されて二つの開口孔が形成された凹状部とからなる分岐端子に対して、複数の分岐端子の凹状部を並置可能な配列ピッチで端子金具の凹状部が配置されていることが望ましい。このようにすれば、６０Ａ用電力量計の端子ブロックの小径開口孔よりも大きな外径を有する凸状部を持つことから装着困難であった分岐端子に対して、その凸状部の外径が端子金具の凹状部の大径開口孔よりも小さいので、分岐端子の凸状部を端子金具の凹状部の大径開口孔に挿入することが容易となる。また、複数の分岐端子の凹状部を並置可能な配列ピッチで端子金具の凹状部が配置されていることから、１２０Ａ用分岐端子を端子アダプタに装着することが可能となる。
【００１３】
本発明における端子金具は、凸状部の根元部位に設けられた識別用の突起を有することが望ましい。このようにすれば、端子ブロックの小径開口孔と同一の配列ピッチで配置された凸状部に対して、凹状部が端子ブロックの小径開口孔と異なる配列ピッチで配置された複数の端子金具をアダプタ本体に組み込むに際して、端子金具に設けられた突起により、端子金具を識別することができるので、複数の端子金具の誤配列を未然に防止することができる。
【００１４】
本発明において、端子金具の凹状部に、大径開口部に挿入される電線を締め付ける端子ねじが螺着され、アダプタ本体に端子ねじが露呈する窓部を形成すると共に、端子ねじを最大限緩めた取付状態でのねじ頭部よりも高い隔壁部を窓部の端子金具隣接部位に設けた構造が望ましい。このようにすれば、電線の装着時あるいは取り外し時、端子ねじのねじ頭部に当接させた締め付け治具が滑って隣接する端子金具の端子ねじに接触することを隔壁部で阻止することができるので、隣接する端子金具同士の短絡を未然に防止することができる。
【００１５】
本発明において、アダプタ本体の底部に形成されて端子金具の凹状部の大径開口孔が露呈する凹陥面に、大径開口孔を囲撓する周壁部を突設した構造を望ましい。このようにすれば、周壁部を目視することにより、大径開口孔の位置を確認することができるので、その大径開口孔への電線の挿入が容易となり、隣接する大径開口孔への誤挿入も未然に防止することができる。
【発明の効果】
【００１６】
本発明によれば、６０Ａ用電力量計に端子アダプタを装着することにより、６０Ａ用電力量計に対して、１２０Ａ用電力量計で使用する大径の引込み線および配線を端子アダプタの端子金具を介して接続することが可能となる。その結果、１２０Ａ用電力量計を設置していた電力需要家において、使用電力量に適した定格電流の電力量計として６０Ａ用電力量計に変更することが容易に実現でき、電力量計のコスト低減を容易に図れる。
【図面の簡単な説明】
【００１７】
【図１】本発明の実施形態で、６０Ａ用電力量計に端子アダプタを取り付ける前の状態を示す斜視図である。
【図２】図１の６０Ａ用電力量計に端子アダプタを取り付けた後の状態を示す斜視図である。
【図３】端子カバーが取り外された端子アダプタで、（Ａ）は正面図、（Ｂ）は平面図、（Ｃ）は底面図、（Ｄ）は右側面図である。
【図４】端子アダプタに組み込まれる複数の端子金具を示す正面図である。
【図５】図３（Ａ）の断面図である。
【図６】端子アダプタに組み込まれた端子金具の凹状部の一部省略部分を含む斜視図である。
【図７】端子カバーが取り外された端子アダプタを下方から見た斜視図である。
【図８】端子カバーが取り付けられた端子アダプタを下方から見た斜視図である。
【図９】端子カバーが取り外された端子アダプタを上方から見た斜視図である。
【図１０】端子カバーの内側を下方から見た斜視図である。
【図１１】端子カバーが取り付けられた端子アダプタの一部省略部分を含む斜視図である。
【図１２】端子アダプタに分岐端子を取り付ける前の状態を示す斜視図である。
【図１３】端子アダプタに分岐端子を取り付けた後の状態を示す斜視図である。
【図１４】６０Ａ用電力量計に耐候カバーを取り付けた状態を示す正面図である。
【図１５】図１４の側面図である。
【発明を実施するための形態】
【００１８】
本発明に係る電力量計用端子アダプタの実施形態を以下に詳述する。なお、以下の実施形態では、交流単相３線式の６０Ａ用電子式電力量計（以下、単に６０Ａ用電力量計と称す）に適用した場合を例示するが、交流単相２線式などの他の相線式の電子式電力量計や機械式電力量計についても適用可能である。
【００１９】
この実施形態における６０Ａ用電力量計１１は、図１および図２に示すように、使用電力量を測定する計測回路などを収容した筐体１２の下部に端子ブロック１３が組み付けられた構造を具備する。この端子ブロック１３は、送電系統からの電線（以下、引込み線と称す）が接続される一次側接続端子（１Ｓ〜３Ｓ）１４と、電力需要家（家電機器などの負荷）への電線（以下、配線と称す）が接続される二次側接続端子（１Ｌ〜３Ｌ）１５とを備えている。これら一次側接続端子１４および二次側接続端子１５は、筐体１２内の計測回路と電気的に接続されている。
【００２０】
通常、端子ブロック１３の底面に幅方向に沿って配された一次側接続端子１４および二次側接続端子１５の小径開口孔１６に引込み線および配線を挿入し、一次側接続端子１４および二次側接続端子１５に螺着された端子ねじを締め付けることにより、引込み線および配線を一次側接続端子１４および二次側接続端子１５に電気的に接続すると共に機械的に固定している。この一次側接続端子１４および二次側接続端子１５の小径開口孔１６は、６０Ａ用電力量計１１の場合、φ６．５ｍｍの内径を有し、断面積が１．６ｍｍ2〜２２ｍｍ2の外径を有する引込み線および配線が挿入可能となっている。
【００２１】
この６０Ａ用電力量計に対して、１２０Ａ用電力量計で使用する大径（断面積が１４ｍｍ2〜６０ｍｍ2の外径）の引込み線および配線を接続可能にする端子アダプタ１７は、以下のような構造を具備し、その構造でもって６０Ａ用電力量計１１の端子ブロック１３に取り付けられる。
【００２２】
端子アダプタ１７は、図３（Ａ）〜（Ｄ）に示すように、６０Ａ用電力量計１１の端子ブロック１３の底面に配された一次側接続端子１４および二次側接続端子１５の小径開口孔１６と同数（６個）の端子金具１８を、樹脂製のアダプタ本体１９に小径開口孔１６の配設方向に沿って一直線上に埋設した構造を具備する。各端子金具１８は、端子ブロック１３の小径開口孔１６の内径（φ６．５ｍｍ）よりも小さな外径（φ５．５ｍｍ）を有する丸棒状の凸状部２０と、端子ブロック１３の小径開口孔１６の内径（φ６．５ｍｍ）よりも大きな内径（φ１１ｍｍ）を有する大径開口孔２１を備えた角柱状の凹状部２２とを一体成形した導電性部材である。端子金具１８の凸状部２０は、端子ブロック１３の小径開口孔１６と同一の配列ピッチ（ａ＝ｂ＝１９ｍｍ、ｃ＝１５ｍｍ、ｄ＝ｅ＝１４ｍｍ）でアダプタ本体１９から端子ブロック１３に向けて導出されている。一方、端子金具１８の凹状部２２は、凸状部２０から端子ブロック１３と反対側に一体的に延設されて端子ブロック１３の小径開口孔１６と異なる配列ピッチ（Ａ＝Ｂ＝Ｃ＝Ｄ＝Ｅ＝１７ｍｍ）で等間隔に配置されている。
【００２３】
このように、６０Ａ用電力量計１１の端子ブロック１３の小径開口孔１６と同数の端子金具１８を、アダプタ本体１９に小径開口孔１６の配列方向に沿って一直線上に埋設したことにより、６０Ａ用電力量計１１に対して、１２０Ａ用電力量計で使用する大径の引込み線および配線を端子金具１８を介して端子ブロック１３の一次側接続端子１４および二次側接続端子１５に接続することが可能となる。つまり、端子金具１８の凸状部２０は、端子ブロック１３の小径開口孔１６の内径よりも小さな外径を有し、小径開口孔１６と同一の配列ピッチでアダプタ本体１９から端子ブロック１３に向けて導出されていることから、その端子ブロック１３の小径開口孔１６に挿入可能となる。また、端子金具１８の凹状部２２の大径開口孔２１は、端子ブロック１３の小径開口孔１６の内径よりも大きな内径を有することにより、１２０Ａ用電力量計で使用する大径（断面積が１４ｍｍ2〜６０ｍｍ2の外径）の引込み線および配線が挿入可能となる。
【００２４】
端子金具１８の凸状部２０は、端子ブロック１３の小径開口孔１６に挿入され、端子ブロック１３の一次側接続端子１４および二次側接続端子１５に端子ねじ（図示せず）の締め付けでもって電気的に接続されると共に機械的に固定される。このようにして、端子アダプタ１７は、６０Ａ用電力量計１１に懸下支持状態で取り付けられる（図２参照）。なお、この端子アダプタ１７の取り付けに際しては、端子金具１８の凸状部２０を端子ブロック１３の小径開口孔１６に挿入する時、凸状部２０の根元部位に設けられたアダプタ本体１９の角柱状突起部２３が端子ブロック１３の小径開口孔１６の周縁部位に当接することにより、端子ブロック１３に対して端子アダプタ１７が位置規制される。
【００２５】
一方、１２０Ａ用電力量計で使用する大径の引込み線および配線は、端子アダプタ１７の端子金具１８の凹状部２２の大径開口孔２１に挿入され、端子金具１８の凹状部２２に端子ねじ２４の締め付けでもって電気的に接続されると共に機械的に固定される。このようにして、１２０Ａ用電力量計で使用する大径の引込み線および配線は、端子アダプタ１７の端子金具１８を介して６０Ａ用電力量計１１の端子ブロック１３の一次側接続端子１４および二次側接続端子１５に電気的に接続される。
【００２６】
以上で説明した６個の端子金具１８は５種類のもので構成されている。図４に示すように、端子ブロック１３の一次側接続端子（１Ｓ）１４に対応する端子金具１８は、凸状部２０と凹状部２２の軸中心線が一致している。一次側接続端子（２Ｓ）１４と二次側接続端子（３Ｌ）１５に対応する２個の端子金具１８は、凸状部２０に対して凹状部２２の軸中心線が図示左側へ２ｍｍずれている。一次側接続端子（３Ｓ）１４に対応する端子金具１８は、凸状部２０に対して凹状部２２の軸中心線が図示左側へ４ｍｍずれている。二次側接続端子（２Ｌ）１５に対応する端子金具１８は、凸状部２０に対して凹状部２２の軸中心線が図示右側へ１ｍｍずれている。二次側接続端子（１Ｌ）に対応する端子金具１８は、凸状部２０に対して凹状部２２の軸中心線が図示右側へ４ｍｍずれている。
【００２７】
このように、凸状部２０に対する凹状部２２のずれ量を異ならせた５種類で構成された６個の端子金具１８を図４に示す順序で配列させることにより、端子ブロック１３の一次側接続端子１４および二次側接続端子１５に対応させるようにしている。このような複数種類の端子金具１８の組み合わせでもって、端子ブロック１３の小径開口孔１６の配列ピッチ（ａ＝ｂ＝１９ｍｍ、ｃ＝１５ｍｍ、ｄ＝ｅ＝１４ｍｍ）を、端子アダプタ１７の大径開口孔２１の配列ピッチ（Ａ＝Ｂ＝Ｃ＝Ｄ＝Ｅ＝１７ｍｍ）に変換している〔図３（Ａ）参照〕。なお、端子金具１８の組み合わせは前述した５種類に限らず、端子金具１８を５種類以外で組み合わせることも可能である。
【００２８】
ここで、端子金具１８は、図５に示すように、アダプタ本体１９の底面開口部から凸状部２０を挿入し、その凸状部２０をアダプタ本体１９から突出させ、凹状部２２をアダプタ本体１９に収納した状態で底蓋２５をアダプタ本体１９にねじ止めすることによりアダプタ本体１９に組み付けられる〔図３（Ａ）〜（Ｄ）参照〕。この端子金具１８のアダプタ本体１９への組み付け時、一次側接続端子（１Ｓ）１４に対応する端子金具１８と二次側接続端子（２Ｌ）１５に対応する端子金具１８とは、凸状部２０と凹状部２２の軸中心線ずれ量が１ｍｍしかない非常に類似する形状であることから（図４参照）、２個の端子金具１８の組み付けミスによる誤配列が発生する可能性がある。
【００２９】
そこで、前述した２個の端子金具１８のアダプタ本体１９への組み付けミスによる誤配列を未然に防止するため、２個の端子金具１８では、図４に示すように、凸状部２０の根元部位に識別用の突起２６を設けている。つまり、一次側接続端子（１Ｓ）１４に対応する一方の端子金具１８では、凸状部２０の根元部位の一方の側（図示右側）に突起２６を一体的に形成している。これに対して、二次側接続端子（２Ｌ）に対応する他方の端子金具１８では、凸状部２０の根元部位の他方の側（図示左側）に突起２６を一体的に形成している。図５に示すように、これら端子金具１８の突起２６に対応させて、端子金具１８が挿入配置されるアダプタ本体１９の角柱状突起部２３に、端子金具１８の突起２６が嵌合する凹部２７を設けている。
【００３０】
これにより、端子ブロック１３の小径開口孔１６と同一の配列ピッチで配置された凸状部２０に対して、凹状部２２が端子ブロック１３の小径開口孔１６と異なる配列ピッチで配置された複数の端子金具１８をアダプタ本体１９に組み込むに際して、形状が類似する２個の端子金具１８には識別用の突起２６が設けられていることにより、一次側接続端子（１Ｓ）１４に対応する端子金具１８と二次側接続端子（２Ｌ）１５に対応する端子金具１８とを確実に識別することができるので、端子金具１８のアダプタ本体１９への組み付けミスによる誤配列を未然に防止することができる。
【００３１】
なお、アダプタ本体１９の前面には、図３（Ａ）に示すように、端子金具１８の凹状部２２と対応する部位に窓部２８が形成されており、その窓部２８で端子金具１８の凹状部２２の前面が露呈している。この端子金具１８の凹状部２２の前面には、各端子金具１８ごとに２つのねじ孔２９が設けられており（図４参照）、このねじ孔２９に螺着された端子ねじ２４を締め付けることにより、引込み線および配線を端子金具１８に電気的に接続すると共に機械的に固定する。２本の端子ねじ２４を配置することで、一方の端子ねじ２４が緩んだとしても他方の端子ねじ２４で引込み線および配線の接続状態を確保するようにしている。
【００３２】
また、図６に示すように、アダプタ本体１９の窓部２８では、その端子金具１８の凹状部２２が隣接する境界部位に、端子ねじ２４を最大限緩めた取付状態でのねじ頭部よりも高い隔壁部３０を設けている。このように隔壁部３０を設けたことにより、引込み線および配線の取り付け時あるいは取り外し時、端子ねじ２４のねじ頭部に当接させた締め付け治具（ドライバ）が横方向へ滑って隣接する端子金具１８の端子ねじ２４に接触することを隔壁部３０で阻止することができるので、隣接する端子金具１８同士の短絡を未然に防止することができ、作業上の安全性を確保することができる。
【００３３】
前述したアダプタ本体１９の前面には、図７および図８に示すように、窓部２８を遮蔽する端子カバー３１が設けられている。この端子カバー３１は、その側部に設けられた爪部をアダプタ本体１９の側部に設けられた段差部に係止することによりアダプタ本体１９に固定される。また、図９および図１０に示すように、アダプタ本体１９の窓部２８の周縁部位には２条の凹溝３２が形成され〔図３（Ｂ）（Ｄ）参照〕、端子カバー３１の窓部周縁部位と対応する内周部位には２条の突起３３が形成されている。アダプタ本体１９に端子カバー３１を装着した状態では、図１１に示すように、アダプタ本体１９の２条の凹溝３２に端子カバー３１の２条の突起３３が嵌まり込むことにより、雨水などの侵入経路をジグザグ状に長くすることで、パッキンレスの防水構造を実現している。
【００３４】
前述したように、端子金具１８の凹状部２２をアダプタ本体１９に収容した状態でアダプタ本体１９に底蓋２５を取り付けることにより、図７および図８に示すように、端子金具１８の凹状部２２の大径開口孔２１が露呈する凹陥面をアダプタ本体１９の底部に形成している。このように、アダプタ本体１９の底部の奥まった位置に底蓋２５を配置することで、雨水がアダプタ本体１９の底部を伝って端子金具１８の凹状部２２の大径開口孔２１に達することを抑制する防水構造となっている。この底蓋２５による凹陥面に、大径開口孔２１を囲撓する周壁部３４を一体的に突設している。この周壁部３４は、凹陥面からアダプタ本体１９の底部まで達する高さを有するが、アダプタ本体１９の底部よりも突出する高さであってもよい。
【００３５】
このように、大径開口孔２１を囲撓する周壁部３４を底蓋２５による凹陥面に設けたことにより、本来、アダプタ本体１９の底部から奥まった位置にある端子金具１８の凹状部２２の大径開口孔２１の位置を、正面からの目視により周壁部３４を目安にして判断することができる。その結果、大径開口孔２１に引込み線および配線を挿入するに際して、正面から周壁部３４を目視することにより、大径開口孔２１の位置を確認することができるので、その大径開口孔２１への引込み線および配線の挿入が容易となり、隣接する大径開口孔２１への誤挿入も未然に防止することができる。
【００３６】
ところで、一般家庭などの電力需要家では、電気温水器を屋外に設置している場合がある。屋内に設置された家電機器と共に屋外に設置された電気温水器の使用電力量も６０Ａ用電力量計１１で計測する場合、６０Ａ用電力量計１１の端子ブロック１３の二次側接続端子（１Ｌ，３Ｌ）１５に１２０Ａ用分岐端子３５を接続する必要がある。なお、電気温水器は２００Ｖ用であるため、二つの分岐端子３５を必要とする。この分岐端子３５は、図１２および図１３に示すように、端子ブロック１３の小径開口孔１６よりも大きく、かつ、端子金具１８の凹状部２２の大径開口孔２１よりも小さな外径を有する丸棒状の凸状部３６と、その凸状部３６から一体的に延設されて二つの開口孔３７，３８が形成された略角柱状の凹状部３９とで構成されている。なお、この凹状部３９の前面には端子カバー４０が取り付けられている。
【００３７】
この分岐端子３５の凸状部３６は、端子ブロック１３の小径開口孔１６の内径（φ６．５ｍｍ）よりも大きな外径（φ１０ｍｍ）を有することから、６０Ａ用電力量計１１の端子ブロック１３の小径開口孔１６に挿入することが困難であるが、前述の端子アダプタ１７を使用することにより、６０Ａ用電力量計１１に対する接続が可能となっている。つまり、分岐端子３５の凸状部３６は、端子金具１８の凹状部２２の大径開口孔２１の内径（φ１１ｍｍ）よりも小さな外径（φ１０ｍｍ）を有することにより、端子アダプタ１７の大径開口孔２１に挿入可能となっている。
【００３８】
そこで、この分岐端子３５の凸状部３６を端子アダプタ１７の端子金具１８の凹状部２２の大径開口孔２１に挿入し、端子金具１８の凹状部２２に端子ねじ２４の締め付けでもって電気的に接続すると共に機械的に固定する。これにより、分岐端子３５を端子アダプタ１７を介して６０Ａ用電力量計１１の端子ブロック１３の二次側接続端子（１Ｌ，３Ｌ）１５に電気的に接続する。
【００３９】
一方、分岐端子３５の凹状部３９は、屋内に設置された家電機器へ延びる大径（断面積が１４ｍｍ2〜６０ｍｍ2の外径）の配線が挿入可能な内径（φ１１ｍｍ）を有する大径開口孔３７と、屋外に設置された電気温水器へ延びる小径の配線が挿入される小径開口孔３８とからなる二つの開口孔３７，３８が有する。各開口孔３７，３８ごとに２つのねじ孔（図示せず）が設けられており、このねじ孔に螺着された端子ねじ（図示せず）を締め付けることにより、配線が接続可能となっている。また、端子ブロック１３の二次側接続端子（１Ｌ，３Ｌ）１５の配列ピッチが１４ｍｍであったのに対して、端子アダプタ１７の端子金具１８の凹状部２２の配列ピッチが１７ｍｍとなっていることから、二つの分岐端子３５の凹状部３９を並置することが可能となっている。
【００４０】
そこで、１２０Ａ用電力量計で使用される大径（断面積が１４ｍｍ2〜６０ｍｍ2の外径）の配線、つまり、屋内に設置された家電機器へ延びる大径の配線、および屋外の電気温水器へ延びる小径の配線は、分岐端子３５の凹状部３９の大径開口孔３７および小径開口孔３８にそれぞれ挿入され、分岐端子３５の凹状部３９に端子ねじの締め付けでもって電気的に接続されると共に機械的に固定されることにより、この分岐端子３５および端子アダプタ１７を介して６０Ａ用電力量計１１の端子ブロック１３の二次側接続端子（１Ｌ，３Ｌ）１５に電気的に接続される。
【００４１】
前述では、屋内に設置された家電機器と共に屋外に設置された電気温水器の使用電力量も６０Ａ用電力量計で計測する場合について説明したが、屋外に設置された電気温水器の使用電力量については、６０Ａ用電力量計１１と電気温水器との間に設置された電気温水器専用の電力量計により測定する場合もある。この場合、二つの分岐端子３５は、端子アダプタ１７を介して６０Ａ用電力量計１１の端子ブロック１３の一次側接続端子（１Ｓ，３Ｓ）１４に接続することになる。
【００４２】
この場合、分岐端子３５の凹状部３９の大径開口孔３７には、１２０Ａ用電力量計で使用される大径（断面積が１４ｍｍ2〜６０ｍｍ2の外径）の引込み線が接続されることになる。なお、分岐端子３５の構造および端子アダプタ１７への接続は、前述した分岐端子３５を端子アダプタ１７を介して６０Ａ用電力量計１１の端子ブロック１３の二次側接続端子（１Ｌ，３Ｌ）１５に接続する場合と同様であるため、重複説明は省略する。
【００４３】
以上で説明した６０Ａ用電力量計１１を電力需要家の家屋軒下に設置する場合、端子アダプタ１７および分岐端子３５が風雨に晒されることになる。これら端子アダプタ１７および分岐端子３５を風雨から防護するため、図１４および図１５に示すように、端子アダプタ１７およびその端子アダプタ１７に取り付けられた分岐端子３５を覆う耐候カバー４１を６０Ａ用電力量計１１に取り付けることが有効である。この耐候カバー４１は、例えばポリカーボネート製の筐体４２からなり、その筐体４２の下方開口部４３から、端子アダプタ１７および分岐端子３５に接続された引込み線および配線が導出可能となっている。耐候カバー４１の取り付け構造は、図示しないが、耐候カバー４１に設けられた爪部を６０Ａ用電力量計１１の筐体１２の下部に設けられた溝部に係止することにより実現されている。
【００４４】
ここで、前述の端子アダプタ１７は、端子ブロック１３の小径開口孔１６に挿入可能な配列ピッチ（ａ＝ｂ＝１９ｍｍ、ｃ＝１５ｍｍ、ｄ＝ｅ＝１４ｍｍ）でアダプタ幅方向に配置された端子金具１８の凸状部２０に対して、１２０Ａ用電力量計で使用する大径（断面積が１４ｍｍ2〜６０ｍｍ2の外径）の引込み線および配線が挿入可能な配列ピッチ（Ａ＝Ｂ＝Ｃ＝Ｄ＝Ｅ＝１７ｍｍ）で端子金具１８の凹状部２２をアダプタ幅方向に配置したコンパクト構造を具備する。このように、端子アダプタ１７をコンパクト構造としたことにより、６０Ａ用電力量計１１と同一幅を有する耐候カバー４１の内部に端子アダプタ１７を収容することが可能となっている。
【００４５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４６】
１１  電力量計
１２  筐体
１３  端子ブロック
１６  小径開口孔
１７  端子アダプタ
１８  端子金具
１９  アダプタ本体
２０  凸状部
２１  大径開口孔
２２  凹状部
２４  端子ねじ
２５  凹陥面
２６  突起
２８  窓部
３０  隔壁部
３４  周壁部
３５  分岐端子
３６  凸状部
３７，３８  開口孔
３９  凹状部
【要約】
【課題】  ６０Ａ用電力量計に対して、１２０Ａ用電力量計で使用する引込み線および配線を接続可能にする。
【解決手段】  電力量計１１の筐体１２の下部に配設され、かつ、複数個の小径開口孔１６が所定の配列ピッチで形成された端子ブロック１３に装着可能な端子アダプタ１７であって、端子ブロック１３の小径開口孔１６と同数の端子金具１８を小径開口孔１６の配列方向に沿ってアダプタ本体１９に埋設し、端子金具１８は、小径開口孔１６よりも小さな外径を有し、小径開口孔１６と同一の配列ピッチでアダプタ本体１９から端子ブロック１３に向けて導出された凸状部２０と、端子ブロック１３の小径開口孔１６よりも大きな内径を有する大径開口孔２１を備え、凸状部２０から端子ブロック１３と反対側に一体的に延設されて小径開口孔１６と異なる配列ピッチで配置された凹状部２２とで構成されている。
【選択図】    図１【図１】
0005815807.tif 000002
【図２】
0005815807.tif 000003
【図３】
0005815807.tif 000004
【図４】
0005815807.tif 000005
【図５】
0005815807.tif 000006
【図６】
0005815807.tif 000007
【図７】
0005815807.tif 000008
【図８】
0005815807.tif 000009
【図９】
0005815807.tif 000010
【図１０】
0005815807.tif 000011
【図１１】
0005815807.tif 000012
【図１２】
0005815807.tif 000013
【図１３】
0005815807.tif 000014
【図１４】
0005815807.tif 000015
【図１５】
0005815807.tif 000016